(57)【要約】【課題】車両の状況に応じた適切な制動力を付与できる制御装置、及びそのような制御装置を備えた車両を提供すること。【解決手段】本発明の制御装置及び車両によれば、制動状況判断手段によって車両を制動すべき状況である判断された場合に、該状況に応じた制動力を得るために必要とされる舵角の値が、制御トー角取得手段により取得される。そして、アクチュエータ作動手段により、少なくとも１輪の車輪が、取得された舵角でトーイン又はトーアウトされるように、アクチュエータが作動される。よって、車両の状況（例えば、降坂路の傾斜勾配や、カーブの曲率半径や、前方を走行する車両との相対的位置関係など）に応じて適切な制動力を付与することができる。【選択図】図３
2007145253.tif 000002
【特許請求の範囲】
【請求項１】
複数の車輪と、各車輪を独立に操舵駆動するアクチュエータとを備えた車両の制御装置であって、
前記車両を制動すべき状況であるかを判断する制動状況判断手段と、
その制動状況判断手段によって前記車両を制動すべき状況であると判断された場合に、該状況に応じた制動力を得るために必要とされる舵角の値を取得する制御トー角取得手段と、
前記車輪における少なくとも１輪の車輪の舵角を、前記制御トー角取得手段により取得された舵角でトーイン又はトーアウトさせるように前記アクチュエータを作動させるアクチュエータ作動手段とを備えていることを特徴とする制御装置。
【請求項２】
前記車両の現在位置を検出する現在位置検出手段と、
地図データを記憶する地図データ記憶手段と、
その地図データ記憶手段に記憶されている地図データと前記現在位置検出手段により検出された現在位置とに基づき、走行中の道路の形状を把握する道路形状把握手段と、
その道路形状把握手段によって把握された走行中の道路の形状に応じて、速度の上限値を取得する速度取得手段と、
前記車両の速度を検出する車両速度検出手段とを備え、
前記制動状況判断手段は、前記車両速度検出手段により検出された速度が、前記速度取得手段により取得された速度を超えた場合に、前記車両を制動すべき状況であると判断することを特徴とする請求項１記載の制御装置。
【請求項３】
前記車両が走行中の道路の傾斜状況を検出する傾斜状況検出手段を備え、
前記制動状況判断手段は、前記傾斜状況検出手段によって検出された前記傾斜状況が、予め規定された閾値を越えて下降傾斜している場合に、前記車両を制動すべき状況であると判断することを特徴とする請求項１又は２に記載の制御装置。
【請求項４】
前記車両とその車両の前方を走行する他車との相対的位置関係を検出する相対関係検出手段を備え、
前記制動状況判断手段は、前記相対関係検出手段により検出された相対的位置関係に基づき、前記車両と前記他車とが予め規定された閾値を越えた速度で近づいている、又は前記車両と前記他車との車間距離が予め規定された閾値以下である場合に、前記車両を制動すべき状況であると判断することを特徴とする請求項１から３のいずれかに記載の制御装置。
【請求項５】
前記車両のアクセル開度を検出するアクセル開度検出手段を備え、
前記制動状況判断手段は、前記アクセル開度検出手段により検出されたアクセル開度が減少した場合に、前記車両を制動すべき状況であると判断することを特徴とする請求項１から４のいずれかに記載の制御装置。
【請求項６】
前記車両の変速段の位置を検出するシフト位置検出手段を備え、
前記制動状況判断手段は、前記シフト位置検出手段によって前記変速段のシフトダウンが検出された場合に、前記車両を制動すべき状況であると判断することを特徴とする請求項１から５のいずれかに記載の制御装置。
【請求項７】
請求項１から６のいずれかに記載の制御装置を備えていることを特徴とする車両。
【発明の詳細な説明】
【技術分野】
【０００１】
本発明は、転舵可能に構成される車輪と、その車輪を操舵駆動するアクチュエータとを有する車両に対し、アクチュエータを作動させて車輪の操舵動作を制御するための制御装置、及びそのような制御装置を備える車両に関し、特に、状況に応じて車輪の舵角（トー角）を制御することによって車両に適切な制動力を付与することのできる制御装置、及びそのような制御装置を備えた車両に関するものである。
【背景技術】
【０００２】
従来より、走行中の車両を制動させるためのブレーキとしては、例えば、駆動力がエンジンによって付与される車両の場合には、運転者によるブレーキペダルの操作によって作動する機械式ブレーキ（ドラムブレーキやディスクブレーキなど）と車輪との間の摩擦を利用して制動するフットブレーキや、運転者によってアクセルが抜かれた場合や変速機のシフトダウンがされた場合に生じるエンジンの回転抵抗を利用して制動するエンジンブレーキが主に採用されている。
【０００３】
運転者は、車両の走行中、種々の状況に応じて、フットブレーキとエンジンブレーキとを適宜使い分けて使用している。ここで、エンジンブレーキは、フットブレーキほどの強い制動力を必要としない状況、例えば、降坂路やカーブにおいて微小な制動力を必要とする状況においてしばしば使用される。特に、長い降坂路を走行する際には、フットブレーキを多用すると、フェード現象やベーパーロック現象による制動力低下が生じるので、エンジンブレーキの使用が好適であるとされている。
【０００４】
しかし、エンジンブレーキは、上記のような利点がある一方で、駆動輪の横力低下に起因して車両の走行挙動が不安定になることがある。そこで、エンジンブレーキ作動時の走行安定性を確保する技術として、例えば、特開昭６３−２７０２０５号公報（特許文献１）には、エンジンブレーキの作動時に、車輪をトーイン変化させる構造を有するサスペンション装置が開示されている。
【０００５】
この特許文献１に記載されるサスペンション装置は、サスペンションアームの車輪側の揺動軸のうち、車輪中心に対して上に位置する揺動軸を、その後ろ側が車幅方向の外側に向くように傾け、一方で下側の揺動軸を、その後ろ側が下方を向くように傾けた配置にされている。かかる構成によって、エンジンブレーキの作動に伴い、車輪中心の後方側に向かう力が作用すると、該車輪がトーイン変化される。
【０００６】
一方で、駆動力が電動機（電動モータ）によって付与される車両には、該電動機を発電機として作動させ、運動エネルギーを電気エネルギーに変換してバッテリーに回収することで制動をかける回生ブレーキと呼ばれるブレーキがある。
【特許文献１】特開昭６３−２７０２０５号公報
【発明の開示】
【発明が解決しようとする課題】
【０００７】
しかしながら、特許文献１に記載されているサスペンション装置は、エンジンブレーキの作動に伴って作用する力を利用して、機械構造的にトー角（トーイン角）が付与されるので、車両が遭遇し得る多種多様な状況（例えば、降坂路の傾斜勾配の大小や、カーブの曲率半径の大小など）によっては、付与されるトー角が不適切となり得るという問題点があった。
【０００８】
つまり、付与されるトー角が大きすぎる場合には、必要以上の制動力が付与された結果として、無駄なアクセル操作が行われて燃費低下の原因となったり、その一方で、付与されるトー角が小さすぎる場合には、十分な走行安定性が得られなくなったりする。
【０００９】
このような問題点に対しては、運転者の操作に基づくアクセル操作やブレーキ操作（即ち、フットブレーキの作動）によって対応することが可能であるが、降坂路の傾斜勾配の大小やカーブの曲率半径の大小など、車両が遭遇し得る多種多様な状況に対し、運転者の操作による制動力の補完を期待し過ぎることは、運転者に対して過度の負担を強いることになる。
【００１０】
また、エンジンブレーキそのものについても、フットブレーキに比べて微小な制動力を得られるという利点があるものの、ＭＴ車（マニュアルトランスミッション車）の場合には、適切な制動力を得るためのギア（変速段）は、運転者によるシフトチェンジ操作によって指定されるので、適切なシフトポジションが得られるまでシフトチェンジ操作を行わねばならず煩雑であるという問題点がある。即ち、例えば、エンジンブレーキを作動させるために、運転者が、ギアを５から３へシフトダウンさせたとしても、エンジンブレーキによる制動力が大きすぎる場合には、運転者は、再度、ギアを３から４へシフトアップしなければならない。
【００１１】
また、ＡＴ車（オートマチックトランスミッション車）の場合には、その構造上、エンジンブレーキが効き難く、また、エンジンブレーキが作動するまでにタイムラグが生じるという問題点がある。
【００１２】
また、シフトダウンの際には所謂シフトショックと呼ばれる衝撃が生じることがあり、特に、ＡＴ車ではシフトダウンの際に大きな衝撃が生じやすく、乗員にしばしば不快感と不安感を与えることがある。
【００１３】
一方で、駆動力が電動機（電動モータ）によって付与される車両において利用されている回生ブレーキは、回生された電気エネルギーの充電先となるバッテリーの充電度が高い場合には、インバータに過負荷がかかりインバータが破損してしまうという問題点がある。
【００１４】
本発明は、上述した問題点を解決するためになされたものであり、車両の状況に応じた適切な制動力を付与できる制御装置、及びそのような制御装置を備えた車両を提供することを目的としている。
【課題を解決するための手段】
【００１５】
この目的を達成するために、請求項１記載の制御装置は、複数の車輪と、各車輪を独立に操舵駆動するアクチュエータとを備えた車両を制御するための装置であって、前記車両を制動すべき状況であるかを判断する制動状況判断手段と、その制動状況判断手段によって前記車両を制動すべき状況であると判断された場合に、該状況に応じた制動力を得るために必要とされる舵角の値を取得する制御トー角取得手段と、前記車輪における少なくとも１輪の車輪の舵角を、前記制御トー角取得手段により取得された舵角でトーイン又はトーアウトさせるように前記アクチュエータを作動させるアクチュエータ作動手段とを備えている。
【００１６】
請求項２記載の制御装置は、請求項１記載の制御装置において、前記車両の現在位置を検出する現在位置検出手段と、地図データを記憶する地図データ記憶手段と、その地図データ記憶手段に記憶されている地図データと前記現在位置検出手段により検出された現在位置とに基づき、走行中の道路の形状を把握する道路形状把握手段と、その道路形状把握手段によって把握された走行中の道路の形状に応じて、速度の上限値を取得する速度取得手段と、前記車両の速度を検出する車両速度検出手段とを備え、前記制動状況判断手段は、前記車両速度検出手段により検出された速度が、前記速度取得手段により取得された速度を超えた場合に、前記車両を制動すべき状況であると判断する。
【００１７】
請求項３記載の制御装置は、請求項１又は２に記載の制御装置において、前記車両が走行中の道路の傾斜状況を検出する傾斜状況検出手段を備え、前記制動状況判断手段は、前記傾斜状況検出手段によって検出された前記傾斜状況が、予め規定された閾値を越えて下降傾斜している場合に、前記車両を制動すべき状況であると判断する。
【００１８】
請求項４記載の制御装置は、請求項１から３のいずれかに記載の制御装置において、前記車両とその車両の前方を走行する他車との相対的位置関係を検出する相対関係検出手段を備え、前記制動状況判断手段は、前記相対関係検出手段により検出された相対的位置関係に基づき、前記車両と前記他車とが予め規定された閾値を越えた速度で近づいている、又は前記車両と前記他車との車間距離が予め規定された閾値以下である場合に、前記車両を制動すべき状況であると判断する。
【００１９】
請求項５記載の制御装置は、請求項１から４のいずれかに記載の制御装置において、前記車両のアクセル開度を検出するアクセル開度検出手段を備え、前記制動状況判断手段は、前記アクセル開度検出手段により検出されたアクセル開度が減少した場合に、前記車両を制動すべき状況であると判断する。
【００２０】
請求項６記載の制御装置は、請求項１から５のいずれかに記載の制御装置において、前記車両の変速段の位置を検出するシフト位置検出手段を備え、前記制動状況判断手段は、前記シフト位置検出手段によって前記変速段のシフトダウンが検出された場合に、前記車両を制動すべき状況であると判断する。
【００２１】
請求項７記載の車両は、請求項１から６のいずれかに記載の制御装置を備えている。
【発明の効果】
【００２２】
請求項１記載の制御装置によれば、制動状況判断手段によって車両を制動すべき状況であると判断された場合に、該状況に応じた制動力を得るために必要とされる舵角の値が、制御トー角取得手段により取得される。そして、アクチュエータ作動手段により、少なくとも１輪の車輪が、取得された舵角でトーイン又はトーアウトされるように、アクチュエータが作動される。
【００２３】
よって、車両の状況（例えば、降坂路の傾斜勾配や、カーブの曲率半径や、前方を走行する車両との相対的位置関係など）に応じて適切な制動力を付与することができる。その結果として、多種多様な状況下においても安全性が保たれると共に、必要以上の制動力の付与に伴う燃費低下の防止を図ることができるなどの効果を奏する。
【００２４】
また、車両の状況に応じた舵角を少なくとも１輪の車輪に与えるので、車輪に横力が発生し、減速時における走行安定性を図ることができると共に、フットブレーキに比べたら微小な制動力であるという点においてエンジンブレーキの代替としての利用が可能であるという効果がある。
【００２５】
この場合、車両を制動すべき状況であると判断されると、その状況に応じた舵角が付与されて制動力が発生するので、エンジンブレーキとは異なり、制動力が発生するまでのタイムラグがなく、安定した制動を図ることができるという効果がある。
【００２６】
即ち、エンジンブレーキの場合には、エンジンブレーキが作動するまでにはタイムラグが生じるが（特に、ＡＴ車の場合）、そのタイムラグの期間においても、舵角付与によって発生する制動力が作用するので、結果として、エンジンブレーキ作動時に生じるショックが緩和され、快適な乗り心地を提供することができる。
【００２７】
また、舵角付与によって発生する制動力は、エンジンの回転数とは無関係にリニアに作用すると共に、運転者がシフトダウンを行ってからエンジンブレーキが作動するまでの期間においても作用するので、エンジンブレーキの作動時に生じるシフトショックを緩和し、快適な乗り心地を提供することができるという効果がある。
【００２８】
また、舵角付与によって発生する制動力は、制動に伴う電気エネルギーの発生がないので、回生ブレーキと併用することによって、インバータの破損を防止し得るという効果がある。
【００２９】
また、舵角付与によって発生する制動力とエンジンブレーキとを併用することによって、両方の制動力により確実な制動を図ることができる上に、エンジンブレーキの作動による走行安定性の悪化を防止することができるという効果がある。
【００３０】
請求項２記載の制御装置によれば、請求項１記載の制御装置の奏する効果に加えて、走行中の道路の形状が、道路形状把握手段により、地図データ記憶手段に記憶されている地図データと現在位置検出手段により検出された車両の現在位置とに基づいて把握され、そのように把握された走行中の道路の形状に応じて、速度の上限値が、速度取得手段によって取得される。
【００３１】
そして、車両速度検出手段により検出された車両速度が、前記速度取得手段により取得された速度を超えた場合に、制動状況判断手段によって、車両を制動すべき状況であると判断される。
【００３２】
その結果として、制御トー角取得手段により、該状況に応じた制動力を得るために必要とされる舵角の値が取得されるが、この場合には、例えば、車両速度を、速度取得手段により取得された速度の上限値以下とするために必要とされる舵角の値が取得される。すると、車輪の舵角付与（トー角付与）による制動力が作用し、車両速度が該上限値以下とされる。
【００３３】
よって、走行中の道路の形状が、安定に走行し得る速度に限界を生じるような形状、例えば、車両速度に応じた遠心力が生じるカーブや、車両速度が自然加速される下降傾斜（即ち、降坂路）である場合には、運転者による判断とは無関係に、その形状に応じた限界速度（その形状の道路を安定に走行し得る速度の上限値）以下で車両を走行させることができるという効果がある。
【００３４】
請求項３記載の制御装置によれば、請求項１又は２に記載の制御装置の奏する効果に加えて、傾斜状況検出手段によって検出された走行中の道路の傾斜状況が、予め規定された閾値を越えて下降傾斜している場合に、制動状況判断手段によって、車両を制動すべき状況であると判断される。
【００３５】
その結果として、制御トー角取得手段により、該状況に応じた制動力を得るために必要とされる舵角の値が取得されるが、この場合には、例えば、車両速度を所定の速度に保つために必要とされる舵角の値が取得される。すると、車輪の舵角付与（トー角付与）による制動力が作用し、急勾配の降坂路の走行期間において車両速度が所定の速度に保たれる。
【００３６】
なお、ここで、「所定の速度」とは、降坂路へ進入する際又は進入する以前の速度であってもよいし、降坂路の傾斜角度の走行に対して安全なレベルであるとされる速度（計算によって算出された速度又は予め規定された速度）であってもよいし、予め規定された固定値（例えば、法定速度）であってもよい。
【００３７】
よって、自然加速される度合いが強く、危険なレベルにまで速度超過を引き起こしやすい急勾配の降坂路にあっても、安全なレベルで走行していた車両速度を危険なレベルに上げることなく安全に走行させることができるという効果がある。
【００３８】
例えば、降坂路へ進入する際に車両速度を、運転者の操作、又は車両に搭載される制御装置による自動制御によって、該降坂路の傾斜角に対する安全な速度以下に落とした場合には、その安定な対地速度が、該降坂路の走行期間中においてほぼ一定に保たれるので安全な走行が可能である。
【００３９】
また、該降坂路の走行期間中においては車両速度が所定の速度に保たれるので、運転者の操作による過度な（無駄な）減速が防止され、その結果として、運転効率が向上するという効果がある。例えば、降坂路へ進入する際に車両速度が該降坂路の傾斜角に対して最適とされる速度である場合には、運転者による判断とは無関係に、最適な速度で該降坂路を下ることになるので、最適な運転効率を得ることができる。
【００４０】
なお、請求項３において、「傾斜状況検出手段によって検出される走行中の道路の傾斜状況」は、道路に対して直接検出されるものであってもよいし、例えば、車両１の傾斜角度などから間接的に検出されるものであってもよい。
【００４１】
請求項４記載の制御装置によれば、請求項１から３のいずれかに記載の制御装置の奏する効果に加えて、相対関係検出手段により検出された自車両とその前方を走行する他車との相対的位置関係に基づき、自車両が予め規定された閾値を越えた速度で他車に近づいているか、又は自車両と他車との車間距離が予め規定された閾値以下である場合に、制動状況判断手段によって、車両を制動すべき状況であると判断される。
【００４２】
その結果として、制御トー角取得手段により、該状況に応じた制動力を得るために必要とされる舵角の値が取得されるが、この場合には、例えば、自車両と他車との相対的位置関係を略一定に保つために必要とされる舵角の値が取得される。すると、車輪の舵角付与（トー角付与）による制動力が作用し、自車両と他車との相対的位置関係（互いの相対距離（車間距離）や、相対速度など）を略一定に保つことができる。
【００４３】
よって、自車両とその前方を走行する他車との相対的位置関係（互いの相対距離（車間距離）や、相対速度など）が、常時、略一定に保たれるので、自車両が前車に追突することを防止できるという効果がある。
【００４４】
請求項５記載の制御装置によれば、請求項１から４のいずれかに記載の制御装置の奏する効果に加えて、アクセル開度検出手段により検出された車両のアクセル開度が減少した場合に、制動状況判断手段によって、車両を制動すべき状況であると判断される。
【００４５】
その結果として、制御トー角取得手段により、該状況に応じた制動力を得るために必要とされる舵角の値が取得されるが、この場合には、例えば、アクセル開度検出手段により検出されたアクセル開度の減少度合いに応じて、その減少度合いが大きいほど大きな制動力を得るために必要とされる舵角の値が取得される。その結果、車輪の舵角付与（トー角付与）による制動力が作用し、アクセル開度の減少度合いに応じた制動力が付与されることになる。
【００４６】
通常、アクセル開度の減少度合いは、運転者が所望する制動力の大きさに比例する。即ち、運転者が所望する制動力が大きいほど、アクセル開度の減少度合いが大きくなる。よって、アクセル開度の減少度合いに応じて舵角の値を制御することによって、運転者の意図に応じた制動力を発生させることができるという効果がある。
【００４７】
また、運転者によるアクセルペダルの操作によってアクセル開度が閉じられた場合にエンジンブレーキが作動する車両の場合には、アクセル開度の減少度合いに応じた舵角（トー角）を付与することによって、エンジンブレーキの作動による走行安定性の悪化を防止できると共に、エンジンブレーキによる制動力と舵角付与（トー角付与）によって生じる制動力とによって、確実な制動を図ることができるという効果がある。
【００４８】
また、ＡＴ車の場合には、エンジンブレーキが作動するまでにタイムラグが生じるが、そのタイムラグの期間においても、舵角の付与による制動力が発生されるので、安定したな制動力を得ることができるという効果がある。
【００４９】
請求項６記載の制御装置によれば、請求項１から５のいずれかに記載の制御装置の奏する効果に加えて、シフト位置検出手段によって車両の変速段のシフトダウンが検出された場合に、制動状況判断手段によって、車両を制動すべき状況であると判断される。
【００５０】
その結果として、制御トー角取得手段により、該状況に応じた制動力を得るために必要とされる舵角の値が取得されるが、この場合には、例えば、シフト位置検出手段により検出された車両の変速段に応じた制動力を得るために必要とされる舵角の値が取得される。すると、車輪の舵角付与（トー角付与）による制動力が作用し、車両の変速段に応じた制動力が付与されることになる。
【００５１】
ここで、運転者によるシフトダウン操作の結果としてエンジンブレーキが作動する車両の場合には、運転者の意図に応じて指定された変速段に応じた舵角を付与することによって、エンジンブレーキの作動による走行安定性の悪化を防止できると共に、エンジンブレーキによる制動力と舵角の付与によって生じる制動力とによって、確実な制動を図ることができるという効果がある。
【００５２】
また、車輪への舵角付与によって発生する制動力は、エンジンの回転数とは無関係にリニアに作用すると共に、運転者がシフトダウンを行ってからエンジンブレーキが作動するまでの期間においても作用するので、エンジンブレーキの作動時に生じるシフトショックを緩和し、快適な乗り心地を提供することができるという効果がある。
【００５３】
請求項７記載の車両によれば、請求項１から６のいずれかに記載の制御装置によって制御されるので、上記した請求項１から６のいずれかに記載の制御装置によって得られる効果と同様の効果を奏する。
【発明を実施するための最良の形態】
【００５４】
以下、本発明の好ましい実施形態について添付図面を参照して説明する。図１は、本発明の第１実施形態における制御装置１０が搭載される車両１を模式的に示した模式図である。なお、図１の矢印ＦＷＤは、車両１の前進方向を示す。また、図１では、全車輪２に所定の舵角が付与された状態が図示されている。
【００５５】
まず、車両１の概略構成について説明する。車両１は、図１に示すように、車体フレームＢＦと、その車体フレームＢＦに支持される複数（本実施形態では４輪）の車輪２と、それら各車輪２を独立に回転駆動する車輪駆動装置３と、各車輪２を独立に操舵駆動するアクチュエータ装置４とを主に備えている。
【００５６】
次いで、各部の詳細構成について説明する。車輪２は、図１に示すように、車両１の進行方向前方側に位置する左右の前輪２ＦＬ，２ＦＲと、進行方向後方側に位置する左右の後輪２ＲＬ，２ＲＲとの４輪を備え、これら前後輪２ＦＬ〜２ＲＲは、ステアリング装置２０，３０により操舵可能に構成されている。
【００５７】
ステアリング装置２０，３０は、各車輪２を操舵するための操舵装置であり、図１に示すように、各車輪２を揺動可能に支持するキングピン２１と、各車輪２のナックルアーム（図示せず）に連結されるタイロッド２２と、そのタイロッド２２にアクチュエータ装置４の駆動力を伝達する伝達機構部２３とを主に備えて構成されている。
【００５８】
また、各車輪２（２ＦＬ〜２ＲＲ）には、非図示のフットブレーキ装置（例えば、摩擦力を利用したドラムブレーキやディスクブレーキ）が設けられており、ブレーキペダル５２の操作に連動してフットブレーキ装置が作動し、各車輪２が車輪駆動装置３に対して相対的に制動されるように構成されている。
【００５９】
アクチュエータ装置４は、上述したように、各車輪２を独立に操舵駆動するための操舵駆動装置であり、図１に示すように、４個のアクチュエータ（ＦＬ〜ＲＲアクチュエータ４ＦＬ〜４ＲＲ）を備えて構成されている。運転者がハンドル５１を操作した場合には、アクチュエータ装置４の一部（例えば、前輪２ＦＬ，２ＦＲのみ）又は全部が駆動され、ハンドル５１の操作量に応じた舵角が付与される。
【００６０】
ここで、本実施形態では、ＦＬ〜ＲＲアクチュエータ４ＦＬ〜４ＲＲが電動モータで構成されると共に、伝達機構部２３がねじ機構で構成される。電動モータが回転されると、その回転運動が伝達機構部２３により直線運動に変換され、タイロッド２２に伝達される。その結果、各車輪２がキングピン２１を揺動中心として揺動駆動され、各車輪２に所定の舵角が付与される。
【００６１】
また、運転者によるハンドル５１の操作が行われていない場合であっても、必要に応じて、車輪２に対応するアクチュエータ装置４（ＦＬ〜ＲＲアクチュエータ４ＦＬ〜４ＲＲ）を適宜駆動し、ブレーキペダル５２やアクセルペダル５３の操作とは無関係に作動する制動力又は駆動力を得ることができる。
【００６２】
特に、本実施形態では、図３のフローチャートを参照しつつ後述するように、車両１を制動すべき状況（所定の曲率半径を超えるカーブ）であることが検出された場合に、左右前輪２ＦＬ，２ＦＲに対応するＦＬアクチュエータ４ＦＬ及びＦＲアクチュエータ４ＦＲを駆動し、左右前輪２ＦＬ，２ＦＲにトーイン方向の舵角（トーイン角）を付与することによって、制動力を発生することができる。
【００６３】
なお、車両１を制動すべき状況であると検出された場合に車輪２（本実施形態では、左右前輪２ＦＬ，２ＦＲ）に付与される舵角も、ハンドル５１の操作に応じて各車輪２に付与される舵角も、アクチュエータ装置４（ＦＬ〜ＲＲアクチュエータ４ＦＬ〜４ＲＲ）の駆動によって付与されるという点において同義である。よって、車両１を制動すべき状況であると検出された場合に車輪２に付与される舵角を、その他の場面において使用される舵角（例えば、舵角センサ３１によって検出される見かけ上の舵角や、ハンドル５１の操作に応じて各車輪２に付与される舵角や）と区別し、「トー角」と称するものとする。この場合において、トーイン方向に付与される舵角を「トーイン角」と称する。なお、説明を容易にするために、本実施形態では、車両１が直進する際のトー角を０°とする。
【００６４】
車輪駆動装置３は、各車輪２を独立に回転駆動するための回転駆動装置であり、図１に示すように、４個の電動モータ（ＦＬ〜ＲＲモータ３ＦＬ〜３ＲＲ）を各車輪２ごとに（即ち、インホイールモータとして）配設して構成されている。運転者がアクセルペダル５３を操作した場合には、各車輪駆動装置３から回転駆動力が各車輪２に付与され、各車輪２がアクセルペダル５３の操作量に応じた回転速度で回転される。
【００６５】
なお、車輪駆動装置３は、４個の電動モータ（ＦＬ〜ＲＲモータ３ＦＬ〜３ＲＲ）と対応する各車輪２（２ＦＬ〜２ＲＲ）との間に、それぞれ、４個のオートマチックトランスミッション（図示せず）が配設されており、対地速度（車両速度）とアクセルペダル５３の踏み込み量（アクセル開度）とに基づいてＣＰＵ７１から出力される制御信号によって変速段のシフトが自動で行われるように構成されている。
【００６６】
また、車両１には、運転者によって操作される変速シフトレバー５４が配設されており、この変速シフトレバー５４の操作位置に応じた制御信号がＣＰＵ７１から出力されることによって、オートマチックトランスミッションのギア（変速段）を切り換えることができる。例えば、変速シフトレバー５４の操作位置が、Ｄ（Ｄｒｉｖｅ）レンジ→２（Ｓｅｃｏｎｄ）レンジ→１（Ｌｏｗ）レンジへと順次シフトダウンした場合には、その都度、オートマチックトランスミッション（図示せず）におけるギアが下がる。
【００６７】
また、車輪駆動装置３は、変速シフトレバー５４の操作位置に応じた回転方向の駆動力を各車輪２（２ＦＬ〜２ＲＲ）へ付与することができる。例えば、変速シフトレバー５４の操作位置がＤレンジである場合には、アクセルペダル５３が操作されると、車輪駆動装置３から順方向の回転駆動力が各車輪２へと付与され、その結果として、車両１は前進する。一方で、変速シフトレバーの操作位置がＲ（Ｒｅｖｅｒｓｅ）レンジにある場合に、アクセルペダル５３が操作されると、車輪駆動装置３から逆方向の回転駆動力が各車輪２へと付与され、その結果として、車両１はバックする。
【００６８】
制御装置１０は、上述のように構成された車両１の各部を制御するための制御装置であり、例えば、アクセルペダル５３が操作された場合などには、車輪駆動装置３の駆動制御を行う一方、ハンドル５１やアクセルペダル５２やブレーキペダル５３が操作された場合などには、アクチュエータ装置４の駆動制御（操舵制御）を行う。また、上述したように、制御装置１０は、車両１を制動すべき状況であるか否かを監視し、該制御すべき状況であることを検出した場合に、後述するトー角制御処理（図３参照）を実行する。ここで、図２を参照して、制御装置１０の詳細構成について説明する。
【００６９】
図２は、制御装置１０の電気的構成を示したブロック図である。制御装置１０は、図２に示すように、ＣＰＵ７１と、ＲＯＭ７２と、ＲＡＭ７３と、ハードディスク７４（以下、ＨＤＤ７４と称する）とを備え、これらはバスライン７４を介して入出力ポート７５に接続されている。また、入出力ポート７５には、車輪駆動装置３やアクチュエータ装置４等の複数の装置が接続されている。
【００７０】
ＣＰＵ７１は、バスライン７４により接続された各部を制御する演算装置である。ＲＯＭ７２は、ＣＰＵ７１により実行される制御プログラムや固定値データ等を格納した書き換え不能な不揮発性のメモリである。なお、後述する図３に示すフローチャートを実行するプログラムは、このＲＯＭ７２に格納されている。また、ＲＡＭ７３は、制御プログラムの実行時に各種のデータを書き換え可能に記憶するためのメモリである。
【００７１】
ＨＤＤ７４は、書き換え可能な不揮発性の大容量メモリであり、地図データベース７４
ａ（以下、地図ＤＢ７４ａと称する）を備えている。地図ＤＢ７４ａは、地図データを記憶するデータベースである。地図データには、道路網に関する各種情報、例えば、道路の配置や、カーブの曲率半径や傾斜角などの道路の形状が含まれている。このような地図データは、例えば、非図示のデータ読込装置（例えば、ＤＶＤ装置）によって媒体（例えば、ＤＶＤ）から読み取られたり、外部の情報センタ等から非図示の通信装置を介して受信したりすることによって、地図ＤＢ７４ａに記憶される。
【００７２】
車輪駆動装置３は、上述したように、各車輪２（図１参照）を回転駆動するための装置であり、各車輪２に回転駆動力を付与する４個のＦＬ〜ＲＲモータ３ＦＬ〜３ＲＲと、これらの４個のＦＬ〜ＲＲモータ３ＦＬ〜３ＲＲからの回転駆動力を、車速に合った適切なギアで対応する各車輪２（ＦＬ２〜ＲＲ２）に伝える４個のオートマチックトランスミッション（図示せず）と、それらのオートマチックトランスミッションをＣＰＵ７１からの命令に基づいて制御する制御回路（図示せず）とを備えている。ここで、オートマチックトランスミッション（図示せず）は、変速シフトレバー５４の操作位置に応じた制御信号がＣＰＵ７１から入力された場合に、その制御信号に応じたギア（変速段）にシフトチェンジ（シフトアップ又はシフトダウン）する。
【００７３】
また、アクチュエータ装置４は、上述したように、各車輪２を操舵駆動するための装置であり、各車輪２に操舵駆動力を付与する４個のＦＬ〜ＲＲアクチュエータ４ＦＬ〜４ＲＲと、それら各アクチュエータ４ＦＬ〜４ＲＲをＣＰＵ７１からの命令に基づいて駆動制御する駆動回路（図示せず）とを備えている。
【００７４】
舵角センサ装置３１は、各車輪２の舵角を検出すると共に、その検出結果をＣＰＵ７１に出力するための装置であり、各車輪２の舵角をそれぞれ検出する４個のＦＬ〜ＲＲ舵角センサ３１ＦＬ〜３１ＲＲと、それら各舵角センサ３１ＦＬ〜３１ＲＲの検出結果を処理してＣＰＵ７１に出力する処理回路（図示せず）とを備えている。
【００７５】
ここで、舵角センサ装置３１により検出される舵角は、各車輪２の中心線と車両１（車体フレームＢＦ）の基準線（各線ともに図示せず）とがなす角度であり、車両１の進行方向とは無関係に定まる見かけ上の角度である。よって、舵角センサ装置３１により検出される舵角は、ハンドル５１の操作に応じて付与される舵角と、ハンドル５１の操作とは無関係に車輪２に付与されるトー角との合算値である。
【００７６】
車両速度センサ装置３２は、路面に対する車両１の対地速度（絶対値及び進行方向）を検出すると共に、その検出結果をＣＰＵ７１に出力するための装置であり、前後及び左右方向加速度センサ３２ａ，３２ｂと、それら各加速度センサ３２ａ，３２ｂの検出結果を処理してＣＰＵ７１に出力する処理回路（図示せず）とを備えている。
【００７７】
前後方向加速度センサ３２ａは、車両１（車体フレームＢＦ）の前後方向（図１上下方向）の加速度を検出するセンサであり、左右方向加速度センサ３２ｂは、車両１（車体フレームＢＦ）の左右方向（図１左右方向）の加速度を検出するセンサである。ＣＰＵ７１は、車両速度センサ装置３２から入力された各加速度センサ３２ａ，３２ｂの検出結果（加速度値）を時間積分して、２方向（前後及び左右方向）の速度をそれぞれ算出すると共に、それら２方向成分を合成することで、車両１の対地速度（絶対値及び進行方向）を算出する。
【００７８】
接地荷重センサ３３は、各車輪２と路面との間に発生する接地荷重を検出すると共に、その結果をＣＰＵ７１に出力するための装置であり、各車輪２の接地荷重をそれぞれ検出するＦＬ〜ＲＲ荷重センサ３３ＦＬ〜３３ＲＲと、それら各荷重センサ３３ＦＬ〜３３ＲＲの検出結果を処理してＣＰＵ７１に出力する制御回路（図示せず）とを主に備えている。
【００７９】
なお、本実施形態では、各荷重センサ３３ＦＬ〜３３ＲＲがピエゾ抵抗型の３軸荷重センサとして構成されている。これら各荷重センサ３３ＦＬ〜３３ＲＲは、各車輪２を保持するアクチュエータ装置４に配設され、上述した接地荷重を車両１の前後方向（図１における上下方向）、左右方向（図１における左右方向）、及び上下方向（図１における紙面表裏方向）で検出する。
【００８０】
この接地荷重センサ３３の制御回路から出力された各荷重センサ３３ＦＬ〜３３ＲＲの検出結果によって、ＣＰＵ７１は、各車輪２の接地荷重と共に、各車輪２の接地面における摩擦係数を得ることができる。
【００８１】
アクセル開度センサ４０は、運転者によるアクセルペダル５３の踏み込み量（踏み込み角度）を検出するセンサである。アクセル開度センサ４０による検出結果はＣＰＵ７１へ出力され、ＣＰＵ７１は、その検出結果に基づいて、アクセルペダル５３の踏み込み量を算出すると共に、その踏み込み量を時間微分することによってアクセルペダル５３の操作速度（アクセル踏み込み速度又はアクセル抜き速度）を算出する。
【００８２】
シフト位置検出センサ４１は、運転者による変速シフトレバー５４の操作位置（例えば、Ｄレンジ、Ｒレンジ）を検出するセンサである。シフト位置検出センサ４１による検出結果はＣＰＵ７１へ出力され、ＣＰＵ７１は、入力された検出結果に応じた（即ち、変速シフトレバー５４の操作位置に応じた）制御信号を、車輪駆動装置３のオートマチックトランスミッション（図示せず）へ出力する。
【００８３】
ミリ波レーダ装置４３は、対象物までの距離及び速度の計測を行い、その結果をＣＰＵ７１へ出力する装置であり、ミリ波（３０ＧＨｚ〜３００ＧＨｚ程度の電磁波）を発信する発信部（図示せず）と、対象物から反射してきた電磁波を受信する受信部（図示せず）と、その受信部で受信した電磁波に基づいて、元信号との周波数差を計測する計測部（図示せず）とから構成されるものである。
【００８４】
なお、本実施形態では、前方に１つのミリ波レーダ装置４３が設けられており、車両１の前方を走行する他車との間の相対的位置関係（例えば、車間距離や相対速度）を計測することができる。
【００８５】
車載カメラ４４は、車両１の周囲を撮像可能な小型ＣＣＤカメラである。本実施形態では、前方に１つの車載カメラ４８が設けられており、車両１の前方を走行する車両を撮像することができるように構成されている。この車載カメラ４４による撮像画像データは、ＣＰＵ７１へ出力されて、ＣＰＵ７１において画像解析され、前方車両の存在及び概略的な相対位置を示す情報とされる。車載カメラ４４による撮像画像に基づいて得られた情報は、ミリ波レーダ装置４３による前方車両との相対的位置関係を検出するための補助データとして利用される。
【００８６】
傾斜角センサ４６は、車両１の前後方向の傾斜角度を検出するセンサである。傾斜角センサ４６による検出結果はＣＰＵ７１へ出力され、ＣＰＵ７１は、その検出結果に基づいて、車両１の前後方向の傾斜角度を検出する。
【００８７】
ＧＰＳ受信機４７は、ＧＰＳ衛星（図示せず）から位置情報（例えば、緯度情報及び経度情報）を、アンテナ４７ａを介して受信する装置であり、このＧＰＳ受信機４７により位置情報が受信されると、その位置情報と、車両速度センサ装置３２により検出された対地速度（車両速度）と、ジャイロセンサ（図示せず）により検出される車両１の回転角速度とに基づいて、ＣＰＵ７１において車両１の現在位置が求められる。
【００８８】
次に、図３のフローチャートを参照して、上記のように構成される本実施形態の制御装置１０による、車両１周囲の状況に応じた車輪２（左右前輪２ＦＬ，２ＦＲ）に対するトー角制御について説明する。図３は、車両１の制御装置１０（ＣＰＵ７１）で実行されるトー角制御処理１を示すフローチャートである。
【００８９】
このトー角制御処理１は、制御装置１０に電源が投入されている間、ＣＰＵ７１によって所定時間毎（例えば、２０ｍｓｅｃ毎）に繰り返し実行される処理であり、まず、ＧＰＳ受信機４７に受信されたＧＰＳ衛星（図示せず）からの位置情報（緯度及び経度情報）に基づいて、車両１の現在位置を検出し（Ｓ３０１）、車両速度センサ装置３２により車両１の対地速度を検出する（Ｓ３０２）。
【００９０】
次いで、地図ＤＢ７４ａに記憶されている地図データを参照し、Ｓ３０１により検出された車両１の現在位置付近（例えば、現在位置から半径２００ｍ以内）に、制御対象となるカーブがあるかを確認する（Ｓ３０３）。なお、本実施形態では、Ｓ３０３における「制御対象のカーブ」は、所定の閾値以下の曲率半径Ｒを有するカーブ（例えば、最小曲率半径Ｒが４００ｍ以下のカーブ）であるとする。
【００９１】
Ｓ３０３の処理によって確認した結果、制御対象となるカーブがある場合には（Ｓ３０３：Ｙｅｓ）、制御対象となるカーブの曲率半径Ｒに基づいて、そのカーブを走行車線（センターラインない道路の場合は道路幅）から逸脱することなく旋回可能な速度（以下、この速度を「旋回可能速度」と称する）の上限値を取得する（Ｓ３０４）。
【００９２】
Ｓ３０４において、旋回可能速度の上限値は、カーブの旋回半径Ｒや車両１のスペック（車両重量など）の値などを用い、所定の演算式に基づいて取得されるものであってもよいし、カーブの旋回半径Ｒと旋回可能速度の上限値とを対応付けた制御可能速度マップをメモリ（例えば、ＨＤＤ７４）に予め記憶させておき、そのマップに基づいて旋回制御速度の上限値を得るようにしてもよい。また、制御対象のカーブ毎に旋回可能速度の上限値を対応付けた制御可能速度マップを利用するような構成であってもよい。なお、天候や路面状況などの旋回可能速度の上限値に影響を与え得るパラメータの値を検出するセンサを車両１に設け、検出された値を演算式において利用したり、あるいは、検出された値で制御可能速度マップの値を補正するように構成してもよい。
【００９３】
Ｓ３０４の処理後、車両１の対地速度が、旋回可能速度の上限値を超えるかを確認し（Ｓ３０５）、車両１の対地速度が旋回可能速度の上限値を超える（車両１の対地速度＞旋回可能速度の上限値）場合には（Ｓ３０５：Ｙｅｓ）、車両１の対地速度から、旋回可能速度の上限値を差し引くことによって必要減速量を得る（Ｓ３０６）。
【００９４】
次いで、車両１の現在位置から制御対象のカーブ区間の入口に到達するまでに、Ｓ３０６において得られた必要減速量だけ減速するための制動力Ｆを、車両１の重量や、路面の摩擦係数などを考慮しつつ所定の演算式に基づいて計算する（Ｓ３０７）。なお、カーブ区間の入口の位置座標は地図データにおいて規定されているものとする。
【００９５】
次いで、Ｓ３０７において得られた制動力Ｆを得るためのトーイン角θを取得する（Ｓ３０８）。Ｓ３０８において、トーイン角θは、必要な制動力Ｆに応じたトーイン角θの値を記憶するトー角制御マップをメモリ（例えば、ＨＤＤ７４）に予め記憶させておき、そのマップに基づいて取得するようにしてもよいし、車両１のスペック（車両重量など）の値や、各車輪２の接地荷重や、路面の摩擦係数などの値などを用い、所定の演算式に基づいて取得されるものであってもよい。なお、各車輪２の接地荷重及び路面の摩擦係数は、接地荷重センサ装置３３による検出結果から得ることができる。
【００９６】
Ｓ３０８の処理後、取得したトーイン角θが左右前輪２ＦＬ，２ＦＲに付与されるように、ＦＬアクチュエータ４ＦＬ及びＦＲアクチュエータ４ＦＲを制御し（Ｓ３０９）、このトー角制御処理１を終了する。
【００９７】
Ｓ３０９の結果として、左右前輪２ＦＬ，２ＦＲがトーインされたことに伴う制動力Ｆが発生し、車両１の減速が開始される。そして最終的に、カーブ区間の入口において、車両１の対地速度は旋回可能速度にまで減速される。
【００９８】
なお、本実施形態における「カーブ区間の入り口」は直線だけでなく、カーブである場合も含まれる。カーブを走行中、即ち、該カーブを旋回するための舵角が運転者によるハンドル５１の操作によって車輪２に付与されている状況においては、Ｓ３０９の結果として、ハンドル５１の操作量に応じた舵角とトーイン角θとの合算値が左右前輪２ＦＬ，２ＦＲに付与されることになる。
【００９９】
例えば、左右前輪２ＦＬ，２ＦＲに、それぞれ左方向に２５°の舵角が与えられるべき状況において、Ｓ３０８においてトーイン角θ＝５°が取得された場合には、Ｓ３０９の結果として、左前輪２ＦＬ及び右前輪２ＦＲの見かけ上の舵角（舵角センサ３１ＦＬ，３１ＦＲによって検出される舵角）は、それぞれ、左方向に２０°（＝２５°−５°）及び３０°（＝２５°＋５°）となる。
【０１００】
一方で、Ｓ３０３の処理により確認した結果、制御対象となるカーブがない場合（Ｓ３０３：Ｎｏ）、及び、Ｓ３０５の処理により確認した結果、車両１の対地速度が旋回可能速度の上限値以下（車両１の対地速度≦旋回可能速度の上限値）である場合（Ｓ３０５：Ｎｏ）には、左右前輪２ＦＬ，２ＦＲのトーイン角θが０°となるように、ＦＬアクチュエータ４ＦＬ及びＦＲアクチュエータ４ＦＲを制御し（Ｓ３１０）、このトー角制御処理１を終了する。
【０１０１】
なお、Ｓ３１０の処理の結果として、左右前輪２ＦＬ，２ＦＲのトーイン角θが０°とされるが、ハンドル５１の操作量に応じた舵角は維持される。即ち、Ｓ３１０の処理の結果として、舵角センサ３１ＦＬ，３１ＦＲによって検出される左前輪２ＦＬ及び右前輪２ＦＲの見かけ上の舵角は、ハンドル５１の操作量に応じた舵角である。
【０１０２】
従って、本実施形態の制御装置１０によれば、車両１の対地速度が、現在位置付近に存在するカーブに対する旋回可能速度を超えていた場合に、左右前輪２ＦＬ，２ＦＲにトーイン角θが付与され、その結果として、車両１の対地速度が、カーブ区間に入る前に旋回可能速度にまで減速される。よって、カーブ区間において、遠心力によって車両１が走行車線（センターラインがない道路の場合は道路幅）から逸脱することを防止できるので、カーブ区間における事故を防止することができるのである。
【０１０３】
このように、本実施形態の制御装置１０によれば、車両１の置かれている状況（本実施形態では、車両１の現在位置付近に制御対象となるカーブが存在したという状況）に応じて、左右前輪２ＦＬ，２ＦＲのトー角（トーイン角θ）が制御されるが、トー角の制御による制動制御を行うべき状況であるか否かは、トー角制御処理１の中で、運転者による判断とは無関係に判断される。よって、運転者に過度の負担を強いることなく、状況に応じた車両の制動制御を行うことができるのである。
【０１０４】
なお、この第１実施形態では、「車両１を制動すべき状況」としてカーブの曲率半径のみを考慮する構成であったが、その他のファクター（例えば、カーブの長さや追突事故の起こりやすさなど）を考慮して、車両１を制動すべき状況であるか否かを判断するようにしてもよい。
【０１０５】
また、この第１実施形態では、Ｓ３０２において求められた対地速度を利用してトー角（トーイン角θ）の制御を図るように構成したが、通常の車速を利用してトー角（トーイン角θ）の制御を図る構成であってもよい。
【０１０６】
次に、図４を参照して、第２実施形態の制御装置１０による、車両１周囲の状況に応じた車輪２に対するトー角制御について説明する。上記した第１実施形態の制御装置１０による車輪２（左右前輪２ＦＬ，２ＦＲ）に対するトー角制御は、車両１の現在位置付近に制御対象となるカーブが存在し、車両１の対地速度が該カーブの旋回可能速度を超えた場合に、左右前輪２ＦＬ，２ＦＲに対し、必要減速量を得るためのトーイン角θを付与する構成であった。
【０１０７】
これに対し、この第２実施形態の制御装置１０は、車両１の置かれている状況が、車両１が所定の傾斜角以上に下降傾斜する降坂路を走行する状況において、車輪２（左右前輪２ＦＬ，２ＦＲ）に対するトー角制御を行う。なお、この第２実施形態において、第１実施形態と同一の部分については、その同一の部分に関する説明は省略する。
【０１０８】
第２実施形態の制御装置１０のＲＡＭ７３は、下り坂フラグ７３ａと、設定値メモリ７３ｂと、目標車速メモリ７３ｃとを備えている（いずれも図示せず）。
【０１０９】
下り坂フラグ７３ａは、車両１が、所定の閾値以上の下降傾斜角度を有する降坂路を走行中であるかを示すフラグである。この下り坂フラグ７３ａは、制御装置１０への電源投入と共にオフに初期化され、車両１が前下がりに所定の閾値角以上傾いていることが傾斜角センサ４６によって検出された場合に、車両１が所定の閾値以上の下降傾斜角度を有する降坂路を走行しているとみなされ、この下り坂フラグ７３ａがオンされる、一方で、車両１の前下がりの傾斜角が所定の閾値未満であることが傾斜角センサ４６によって検出された場合に、下り坂フラグ７３ａはオフされる。
【０１１０】
設定値メモリ７３ｂは、左右前輪２ＦＬ，２ＦＲに付与するトー角の値（トーイン角θ）の値を記憶するものである。この設定値メモリ７３ｂは、制御装置１０への電源と共にオフに０に初期化される。
【０１１１】
目標車速メモリ７３ｃは、所定の閾値以上の下降傾斜角度を有する降坂路を走行する車両１の目標車両速度を記憶するものである。この目標車速メモリ７３ｃは、制御装置１０への電源投入と共に所定の初期値（例えば、時速５０ｋｍ）が記憶されるように構成されている。
【０１１２】
また、第２実施形態の制御装置１０のＨＤＤ７４は、トー角初期値マップ７４ｂ（図示せず）を備えている。このトー角初期値マップ７４ｂは、傾斜角センサ４６によって検出された車両１の傾斜角と、左右前輪２ＦＬ，２ＦＲに付与するトーイン角θの初期値とを対応づけたマップである。
【０１１３】
図４は、第２実施形態の制御装置１０（ＣＰＵ７１）で実行されるトー角制御処理２を示すフローチャートである。なお、図４に示すトー角制御処理２を実行するプログラムは、ＲＯＭ７２に格納されている。このトー角制御処理２もまた、第１実施形態におけるトー角制御処理１と同様に、制御装置１０に電源が投入されている間、ＣＰＵ７１によって所定時間毎（例えば、２０ｍｓｅｃ毎）に繰り返し実行される処理である。
【０１１４】
図４に示すように、トー角制御処理２では、まず、傾斜角センサ４６により車両１の前後方向の傾斜角を検出し（Ｓ４０１）、車両速度センサ装置３２により車両１の対地速度を検出する（Ｓ４０２）。
【０１１５】
Ｓ４０２の処理後、Ｓ４０１において検出された傾斜角の値が、車両１が前下がりに所定の閾値（例えば、２．５°）以上に傾いていることを示す値であるかを確認する（Ｓ４０３）。
【０１１６】
Ｓ４０３の処理により確認した結果、検出された傾斜角の値が、車両１が前下がりに所定の閾値以上に傾いていることを示す値である場合には（Ｓ４０３：Ｙｅｓ）、下り坂フラグ７３ａ（図示せず）がオンであるかを確認し（Ｓ４０４）、オフであれば（Ｓ４０４：Ｎｏ）、車両１が所定の閾値以上の下降傾斜角度を有する降坂路に入ったことを示すので、下り坂フラグ７３ａをオンし（Ｓ４０５）、トー角初期値マップ７４ｂ（図示せず）を参照し、トーイン角θの値を車両１の傾斜角に応じた初期値（例えば、傾斜角が２．５°の場合に２．５°）に設定する（Ｓ４０６）。
【０１１７】
Ｓ４０６の処理後、初期値として設定されたトーイン角θの値を、設定値メモリ７３ｂ（図示せず）に記憶し（Ｓ４０７）、設定値メモリ７３ｂに記憶されているトーイン角θが左右前輪２ＦＬ，２ＦＲに付与されるように、ＦＬアクチュエータ４ＦＬ及びＦＲアクチュエータ４ＦＲを制御し（Ｓ４０８）、このトー角制御処理２を終了する。
【０１１８】
Ｓ４０８の結果として、左右前輪２ＦＬ，２ＦＲがトーインされたことに伴う制動力Ｆが発生し、車両１の減速が開始される。
【０１１９】
一方で、Ｓ４０４の処理により確認した結果、下り坂フラグ７３ａがオンであれば（Ｓ４０４）、Ｓ４０３において検出された車両１の対地速度から、目標車速メモリ７３ｃ（図示せず）に記憶されている値を差し引くことによって速度増分を得る（Ｓ４１４）。
【０１２０】
Ｓ４１４の処理後、得られた速度増分が０を超える（速度増分＞０）であるかを確認し（Ｓ４１５）、速度増分＞０であれば（Ｓ４１５：Ｙｅｓ）、その速度増分が、所定時間後（例えば、２０ｍｓｅｃ後）に０となるように減速するための制動力Ｆを、車両１の重量や、降坂路の傾斜角度に対応する車両１の傾斜角度や、路面の摩擦係数などを考慮しつつ所定の演算式に基づいて計算する（Ｓ４１６）。
【０１２１】
次いで、Ｓ４１６において得られた制動力Ｆを得るためのトーイン角θを取得する（Ｓ４１７）。Ｓ４１７において、トーイン角θは、上記した第１実施形態におけるＳ３０８と同様に、メモリ（例えば、ＨＤＤ７４）に予め記憶させておいたトー角制御マップに基づいて取得するようにしてもよいし、所定の演算式に基づいて取得されるものであってもよい。
【０１２２】
Ｓ４１７の処理後、取得したトーイン角θの値を、設定値メモリ７３ｂに記憶し（Ｓ４１８）、Ｓ４０８へ移行し、設定値メモリ７３ｂに記憶されているトーイン角θが左右前輪２ＦＬ，２ＦＲに付与されるように、ＦＬアクチュエータ４ＦＬ及びＦＲアクチュエータ４ＦＲを制御して、このトー角制御処理２を終了する。
【０１２３】
よって、Ｓ４１８の結果として、左右前輪２ＦＬ，２ＦＲに制動力Ｆが発生し、車両１の減速が図られる。そして、最終的に、Ｓ４１４において算出された速度増分が０とされるまで、即ち、目標車速メモリ７３ｃに記憶されている速度にまで減速される。よって、車両１が所定の閾値以上の下降傾斜角度を有する降坂路を走行している期間中は、車両１の対地速度が目標車速メモリ７３ｃに記憶されている速度に保たれることになる。
【０１２４】
一方で、Ｓ４１５の処理により確認した結果、速度増分≦０であれば（Ｓ４１５：Ｎｏ）、トー角制御による制動力Ｆを付与する必要がないので、Ｓ４０６へ移行し、トー角初期値マップ７４ｂを参照して、トーイン角θを、Ｓ４０１で検出された車両１の傾斜角に応じた初期値に設定する。
【０１２５】
また、Ｓ４０３の処理により確認した結果、Ｓ４０１において検出された傾斜角の値が、車両１が前下がりに所定の閾値未満で傾いていることを示す値である場合には（Ｓ４０３：Ｎｏ）、Ｓ４０２において検出された対地速度を目標車速メモリ７３ｃに記憶する（Ｓ４０９）。
【０１２６】
このように、車両１の傾斜角が閾値以上に傾斜していない場合に、Ｓ４０９の処理によって、車両１の対地速度が目標車速メモリ７３ｃに対地速度が記憶されるので、Ｓ４１４において速度増分を算出するために用いられる目標車速メモリ７３ｃの値は、下り坂フラグ７３ａがオンされる直前に実行されたトー角制御処理２におけるＳ４０２において検出された対地速度であるか、制御装置１０への電源投入時に記憶される初期値であるかのいずれかということになる。
【０１２７】
従って、本実施形態の制御装置１０は、車両１が所定の閾値以上の下降傾斜角度を有する降坂路を走行する場合に、その対地速度が、該降坂路に進入する前の速度か、予め規定された初期値（例えば、時速５０ｋｍ）のいずれかに保つためのトーイン角θが左右前輪２ＦＬ，２ＦＲに付与されるように制御を行っているのである。
【０１２８】
Ｓ４０９の処理後、下り坂フラグ７３ａがオンであるかを確認し（Ｓ４１０）、オンであれば（Ｓ４１０：Ｙｅｓ）、車両１が所定の閾値以上の下降傾斜角度を有する降坂路から脱したことを示すので、下り坂フラグ７３ａをオフし（Ｓ４１１）、トーイン角θを０°に設定する（Ｓ４１２）。
【０１２９】
次いで、設定されたトーイン角θの値を設定値メモリ７３ｂに記憶し（Ｓ４１３）、Ｓ４０８へ移行し、設定値メモリ７３ｂに記憶されているトーイン角θが左右前輪２ＦＬ，２ＦＲに付与されるように、ＦＬアクチュエータ４ＦＬ及びＦＲアクチュエータ４ＦＲを制御して、このトー角制御処理２を終了する。
【０１３０】
一方で、Ｓ４１０の処理により確認した結果、下り坂フラグ７３ａがオフであれば（Ｓ４１０：Ｎｏ）、そのまま、このトー角制御処理２を終了する。
【０１３１】
従って、本実施形態の制御装置１０によれば、車両１が所定の閾値以上の下降傾斜角度を有する降坂路を走行している期間中は、車両１の対地速度を目標車速メモリ７３ｃに記憶されている速度に保つように、左右前輪２ＦＬ，２ＦＲにトーイン角θが付与される。
【０１３２】
よって、降坂路において車両１が自然加速されることがあっても、目標車速メモリ７３ｃに記憶されている速度に保たれるので、速度超過による事故を防止することができる。特に、目標車速メモリ７３ｃに記憶されている速度が安全なレベルの速度であれば、自然加速によって車両１の対地速度が危険なレベルにまで引き上げられることもなく、確実な事故防止を行うことができるのである。
【０１３３】
また、降坂路の走行期間中においては車両１の対地速度が、降坂路に進入する前の速度に保たれるので、運転者の操作による過度な（無駄な）減速を防止でき、その結果として、運転効率が向上される。即ち、降坂路へ進入する際における車両１の対地速度が該降坂路の傾斜角に対して最適とされる速度である場合には、運転者による判断とは無関係に、最適な速度で該降坂路を下ることになるので、最適な運転効率を得ることができるのである。
【０１３４】
なお、本実施形態では、降坂路の走行期間中においては車両１の対地速度が降坂路に進入する前の速度に保つように構成したが、制動制御の規準となる速度を、降坂路の傾斜角度の走行に対して安全なレベルであるとされる速度（計算によって算出された速度又は予め規定された速度）や、予め規定された固定値（例えば、法定速度）とするように構成してもよい。
【０１３５】
このように、本実施形態の制御装置１０によれば、車両１の置かれている状況（本実施形態では、車両１が所定の閾値以上の下降傾斜角度を有する降坂路を走行するという状況）に応じて、左右前輪２ＦＬ，２ＦＲのトー角（トーイン角θ）が制御されるが、トー角の制御による制動制御を行うべき状況であるか否かは、トー角制御処理１の中で、運転者による判断とは無関係に判断される。よって、運転者に過度の負担を強いることなく、状況に応じた車両の制動制御を行うことができるのである。
【０１３６】
なお、本実施形態では、トー角制御処理２におけるＳ４０６において、車両１の傾斜角に応じてトーイン角θの初期値が設定される構成としたが、トー角初期値マップ３４ｂの構成を、車両１の対地速度と車両１の傾斜角とに応じたトーイン角θの初期値を記憶するものとし、Ｓ４０において、車両１の対地速度と車両１の傾斜角とに応じたトーイン角θの初期値を付与するような構成としてもよい。
【０１３７】
次に、図５を参照して、第３実施形態の制御装置１０による、車両１周囲の状況に応じた車輪２（左右前輪２ＦＬ，２ＦＲ）に対するトー角制御について説明する。この第３実施形態の制御装置１０は、車両１の置かれている状況が、前方を走行する他車（以下、「前車」と称する）に対する自車（車両１）の相対速度が正の値、即ち、車両１が前車に近づいている状況において、車輪２（左右前輪２ＦＬ，２ＦＲ）に対するトー角制御を行う。なお、この第３実施形態において、第１実施形態と同一の部分については、その同一の部分に関する説明は省略する。
【０１３８】
第３実施形態の制御装置１０のＲＡＭ７３は、前回値メモリ７３ｄ（図示せず）を備えている。この前回値メモリ７３ｄは、タイマインタラプト処理であるトー角制御処理３の前回実行時に検出された他車との車間距離を記憶するものである。なお、この前回値メモリ７３ｄは、制御装置１０への電源投入時と、他車との相対速度が０以下となった場合とにおいて記憶されている値がクリアされる。
【０１３９】
図５は、第３実施形態の制御装置１０（ＣＰＵ７１）で実行されるトー角制御処理３を示すフローチャートである。なお、図５に示すトー角制御処理３を実行するプログラムは、ＲＯＭ７２に格納されている。このトー角制御処理３もまた、第１実施形態におけるトー角制御処理１と同様に、制御装置１０に電源が投入されている間、ＣＰＵ７１によって所定時間毎（例えば、２０ｍｓｅｃ毎）に繰り返し実行される処理である。
【０１４０】
図５に示すように、トー角制御処理３では、まず、ミリ波レーダ装置４３による検出結果及び車載カメラ４４による撮像画像に基づいて、前車との車間距離を検出し（Ｓ５０１）、検出された車間距離が所定の閾値（例えば、１５０ｍ）以下であるかを確認し（Ｓ５０２）、車間距離が所定の閾値を超える場合には（Ｓ５０２：Ｙｅｓ）、このトー角制御処理３を終了する。
【０１４１】
一方で、Ｓ５０２の処理により確認した結果、車間距離が所定の閾値以下であれば（Ｓ５０２：Ｎｏ）、前回値メモリ７３ｄ（図示せず）の値から、Ｓ５０１において検出された車間距離を差し引いたものを、車間距離の検出時間間隔（即ち、トー角制御処理３の起動間隔）で除することによって、前車に対する自車（車両１）の相対速度（以下、前車に対する自車（車両１）の相対速度を単に「相対速度」と称する）を得る（Ｓ５０３）。Ｓ５０３の処理後、Ｓ５０１において検出された車間距離を前回値メモリ７３ｄに記憶する（Ｓ５０４）。
【０１４２】
次いで、Ｓ５０３の処理の結果として得られた相対速度の値は０を超えるか、即ち、車両１が前車に近づきつつあるかを確認し（Ｓ５０５）、相対速度＞０であれば（Ｓ５０５：Ｙｅｓ）、算出された相対速度を０（ゼロ）とするための制動力Ｆを、車両１の重量や、路面の摩擦係数などを考慮しつつ所定の演算式に基づいて計算する（Ｓ５０６）。
【０１４３】
次いで、Ｓ５０６において得られた制動力Ｆを得るためのトーイン角θを取得する（Ｓ５０７）。Ｓ５０７において、トーイン角θは、上記した第１実施形態におけるＳ３０８と同様に、メモリ（例えば、ＨＤＤ７４）に予め記憶させておいたトー角制御マップに基づいて取得するようにしてもよいし、所定の演算式に基づいて取得されるものであってもよい。
【０１４４】
Ｓ５０７の処理後、取得したトーイン角θが左右前輪２ＦＬ，２ＦＲに付与されるように、ＦＬアクチュエータ４ＦＬ及びＦＲアクチュエータ４ＦＲを制御し（Ｓ５０８）、Ｓ５０９へ移行する。
【０１４５】
Ｓ５０８の結果として、左右前輪２ＦＬ，２ＦＲがトーインされたことに伴う制動力Ｆが発生し、車両１の減速が開始される。そして最終的に、前車との相対速度がゼロとなるまで減速される。
【０１４６】
一方で、Ｓ５０５の処理により確認した結果、相対速度の値が０以下（相対速度≦０）である場合、即ち、車両１と前車との車間距離に変化がないか、車両１と前車との車間距離が離れつつある場合には（Ｓ５０５：Ｎｏ）、トーイン角θを０°に設定し（Ｓ５１２）、前回値メモリ７３ｄの値をクリアして（Ｓ５１３）、Ｓ５０８へ移行し、Ｓ５１２において設定されたトーイン角θ（トーイン角θ＝０°）が左右前輪２ＦＬ，２ＦＲに付与されるように、ＦＬアクチュエータ４ＦＬ及びＦＲアクチュエータ４ＦＲを制御する。
【０１４７】
次いで実行されるＳ５０９では、Ｓ５０３の処理の結果として得られた相対速度の値が０未満（相対速度＜０）であるかの確認を行う。Ｓ５０９の処理により確認した結果、相対速度＜０、即ち、自車（車両１）と前車との車間距離が離れつつある場合には（Ｓ５０９：Ｙｅｓ）、算出された相対速度を０（ゼロ）とするための駆動力Ｆ’を、車両１の重量や、路面の摩擦係数などを考慮しつつ所定の演算式に基づいて計算する（Ｓ５１０）。次いで、計算された駆動力Ｆ’が各車輪２（２ＦＬ〜２ＲＲ）に付与されるように車輪駆動装置３を制御し（Ｓ５１１）、このトー角制御処理３を終了する。
【０１４８】
一方で、Ｓ５０９の処理により確認した結果、相対速度の値が０以上（相対速度≧０）である場合、即ち、車両１と前車との車間距離に変化がないか、車両１と前車との車間距離が近づきつつある場合には（Ｓ５０９：Ｎｏ）、Ｓ５１０，Ｓ５１１の処理をスキップして、このトー角制御処理３を終了する。
【０１４９】
従って、本実施形態の制御装置１０によれば、前車に対する自車（車両１）の相対速度が正の値である場合、即ち、車両１が前車に近づきつつある場合に、左右前輪２ＦＬ，２ＦＲにトーイン角θが付与され、その結果として、該相対速度が０（ゼロ）、即ち、車両１と前車との車間距離が不変な状態となるように車両１の対地速度が減速される。
【０１５０】
よって、車両１とその前方を走行する他車との相対的な位置関係（車間距離や相対速度など）が、常時、略一定に保たれるので、車両１が前方を走行する車両に追突することを防止することができるのである。
【０１５１】
このように、本実施形態の制御装置１０によれば、車両１の置かれている状況（本実施形態では、車両１が前車に近づきつつあるという状況）に応じて、左右前輪２ＦＬ，２ＦＲのトー角（トーイン角θ）が制御されるが、トー角の制御による制動制御を行うべき状況であるか否かは、トー角制御処理１の中で、運転者による判断とは無関係に判断される。よって、運転者に過度の負担を強いることなく、状況に応じた車両の制動制御を行うことができるのである。
【０１５２】
なお、本実施形態では、前車に対する自車（車両１）の相対速度に基づいてトーイン角θを制御する構成であったが、相対速度とは無関係に、自車（車両１）と前車との相対的距離（車間距離）に応じてトーイン角θを制御する構成であってもよい。
【０１５３】
次に、図６及び図７を参照して、第４実施形態の制御装置１０による、車両１周囲の状況に応じた車輪２（左右前輪２ＦＬ，２ＦＲ）に対するトー角制御について説明する。この第４実施形態の制御装置１０は、車両１の置かれている状況が、運転者によってアクセルが抜かれた、即ち、運転者がアクセルペダル５３の踏み込み量を減少させた状況において車輪２（左右前輪２ＦＬ，２ＦＲ）に対するトー角制御を行う。なお、この第４実施形態において、第１実施形態と同一の部分については、その同一の部分に関する説明は省略する。
【０１５４】
第４実施形態の制御装置１０のＨＤＤ７４は、トー角制御マップ７４ｃ（図６参照）を備えている。図６は、トー角制御マップ７４ｃを示す模式図である。図６に示すように、トー角制御マップ７４ｃは、アクセル開度センサ４０による検出結果に基づいて得られるアクセル抜き速度（アクセルペダル５３の踏み込み量の減少速度）７４ｃ１と、左右前輪２ＦＬ，２ＦＲに付与するトーイン角θ７４ｃ２とを対応付けたマップである。
【０１５５】
図６に示すように、トー角制御マップ７４ｃでは、アクセル抜き速度７４ｃ１が速い程、トーイン角θ７４ｃ２が大きな値とされ、トーイン角θの付与によって生じる制動力Ｆが大きくなるように構成されている。
【０１５６】
図７は、第４実施形態の制御装置１０（ＣＰＵ７１）で実行されるトー角制御処理４を示すフローチャートである。なお、図７に示すトー角制御処理４を実行するプログラムは、ＲＯＭ７２に格納されている。このトー角制御処理４もまた、第１実施形態におけるトー角制御処理１と同様に、制御装置１０に電源が投入されている間、ＣＰＵ７１によって所定時間毎（例えば、２０ｍｓｅｃ毎）に繰り返し実行される処理である。
【０１５７】
図７に示すように、トー角制御処理４では、まず、アクセル開度センサ４０による検出結果に基づいて得られるアクセルの入力状況（アクセルペダル５３の踏み込み量、及びアクセルペダル５３の操作速度（アクセル踏み込み速度又はアクセル抜き速度））を取得する（Ｓ７０１）。
【０１５８】
Ｓ７０１の処理後、アクセルの入力があるか、即ち、アクセルペダル５３の踏み込みがあるかを確認し（Ｓ７０２）、アクセルの入力がなければ（Ｓ７０２：Ｎｏ）、アクセルが抜かれたか、即ち、運転者がアクセルペダル５３の踏み込み量を０（ゼロ）としたかを確認する（Ｓ７０３）。
【０１５９】
Ｓ７０３の処理により確認した結果、アクセルが抜かれた場合には（Ｓ７０３：Ｙｅｓ）、トー角制御マップ７４ｃ（図６参照）を参照し、Ｓ７０１において取得されたアクセル抜き速度に基づいて、トーイン角θを取得する（Ｓ７０４）。
【０１６０】
Ｓ７０４の処理後、取得したトーイン角θが左右前輪２ＦＬ，２ＦＲに付与されるように、ＦＬアクチュエータ４ＦＬ及びＦＲアクチュエータ４ＦＲを制御し（Ｓ７０５）、このトー角制御処理４を終了する。すると、Ｓ７０５の結果として、左右前輪２ＦＬ，２ＦＲがトーインされたことに伴う制動力Ｆが発生し、車両１の減速が開始される。
【０１６１】
一方で、Ｓ７０２の処理により確認した結果、アクセルの入力があれば（Ｓ７０２：Ｙｅｓ）、アクセルペダル５３の踏み込み量に応じた（アクセル開度に応じた）通常の走行を行うために、トーイン角θを０°に設定し（Ｓ７０６）、Ｓ７０５へ移行し、設定されたトーイン角θ（トーイン角θ＝０°）が左右前輪２ＦＬ，２ＦＲに付与されるように、ＦＬアクチュエータ４ＦＬ及びＦＲアクチュエータ４ＦＲを制御する。
【０１６２】
また、Ｓ７０３の処理により確認した結果、アクセルが抜かれていない場合には（Ｓ７０３：Ｎｏ）、そのまま、このトー角制御処理４を終了する。
【０１６３】
従って、本実施形態の制御装置１０によれば、運転者によってアクセルが抜かれた場合（アクセル開度が閉じられた場合）に、その際のアクセル抜き速度が速いほど、より大きなトーイン角θが左右前輪２ＦＬ，２ＦＲに付与される。その結果、運転者によるアクセルの抜き速度が速いほどより大きな減速度で、車両１の対地速度の減速が図られることになる。
【０１６４】
運転者によるアクセルの抜き速度は、通常において、運転者が所望する制動力の大きさに比例するので、本実施形態の制御装置１０によれば、ブレーキペダル５２の操作に連動して作動するフットブレーキ装置によって発生される制動力（フットブレーキ）と比較して微小な制動力を、運転者の意図を反映しつつ作用させることができる。よって、上述したように、状況に応じてトーイン角θが付与されることに伴って発生する制動力を、エンジンブレーキの代替として利用することができる。
【０１６５】
なお、本実施形態では、アクセルが完全に抜かれた場合（運転者がアクセルペダル５３の踏み込み量を０（ゼロ）とした場合）に、トーイン角θの制御を行う構成としたが、アクセルペダル５３の踏み込み量の減少があった場合に、その減少速度に応じたトーイン角θを付与する構成であってもよい。
【０１６６】
あるいは、トー角制御マップ７４ｃを用いることなく、アクセルが完全に抜かれた場合に、予め規定された固定値のトーイン角θ（例えば、５°）を付与する構成であってもよい。
【０１６７】
次に、図８を参照して、第５実施形態の制御装置１０による、車両１周囲の状況に応じた車輪２（左右前輪２ＦＬ，２ＦＲ）に対するトー角制御について説明する。この第５実施形態の制御装置１０は、車両１の置かれている状況が、運転者によって変速シフトレバー５４が操作されてギア（変速段）がシフトダウンされた状況において車輪２（左右前輪２ＦＬ，２ＦＲ）に対するトー角制御を行う。なお、この第５実施形態において、第１実施形態と同一の部分については、その同一の部分に関する説明は省略する。
【０１６８】
第５実施形態の制御装置１０のＨＤＤ７４は、トー角制御マップ７４ｄ（図示せず）を備えている。この第５実施形態で使用されるトー角制御マップ７４ｄは、運転者によってなされたシフトダウンの状態と、左右前輪２ＦＬ，２ＦＲに付与するトーイン角θとを対応付けたマップである、本実施形態のトー角制御マップ７４ｄは、シフトダウンの度合いが大きいほど大きなトーイン角θが対応付けられている。例えば、シフトダウンの状態がＤレンジから２レンジへのシフトダウンである場合に対し、トーイン角θ＝２．５°が対応付けられ、Ｄレンジから１レンジへのシフトダウンである場合に対し、トーイン角θ＝５°が対応付けられている。
【０１６９】
図８は、第５実施形態の制御装置１０（ＣＰＵ７１）で実行されるトー角制御処理５を示すフローチャートである。なお、図８に示すトー角制御処理５を実行するプログラムは、ＲＯＭ７２に格納されている。このトー角制御処理５もまた、第１実施形態におけるトー角制御処理１と同様に、制御装置１０に電源が投入されている間、ＣＰＵ７１によって所定時間毎（例えば、２０ｍｓｅｃ毎）に繰り返し実行される処理である。
【０１７０】
図８に示すように、トー角制御処理５では、まず、シフト位置検出センサ４１により変速シフトレバー５４の操作位置、即ち、運転者によって選択されているギア（変速段）を検出し（Ｓ８０１）、アクセル開度センサ４０による検出結果に基づいて得られるアクセルの入力状況（アクセルペダル５３の踏み込み量、及びアクセルペダル５３の操作速度（アクセル踏み込み速度又はアクセル抜き速度））を取得する（Ｓ８０２）。
【０１７１】
Ｓ８０２の処理後、Ｓ８０１の検出結果に基づいて、運転者によるシフトダウン操作があったかを確認し（Ｓ８０３）、シフトダウン操作があった場合には（Ｓ８０３：Ｙｅｓ）、アクセルの入力があるか、即ち、アクセルペダル５３の踏み込みがあるかを確認する（Ｓ８０４）。
【０１７２】
Ｓ８０４の処理により確認した結果、アクセルの入力がなければ（Ｓ８０４：Ｎｏ）、Ｓ８０３の処理で確認されたシフトダウン操作は、運転者が制動力作動を意図したシフトダウン操作であるので、トー角制御マップ７４ｄ（図示せず）を参照し、Ｓ８０１において取得されたシフトダウンの状態に基づいて、トーイン角θを取得する（Ｓ８０５）。
【０１７３】
Ｓ８０５の処理後、取得したトーイン角θが左右前輪２ＦＬ，２ＦＲに付与されるように、ＦＬアクチュエータ４ＦＬ及びＦＲアクチュエータ４ＦＲを制御し（Ｓ８０６）、このトー角制御処理５を終了する。すると、Ｓ８０６の結果として、左右前輪２ＦＬ，２ＦＲがトーインされたことに伴う制動力Ｆが発生し、車両１の減速が開始される。
【０１７４】
一方で、Ｓ８０４の処理により確認した結果、アクセルの入力があれば（Ｓ８０４：Ｙｅｓ）、Ｓ８０３の処理で確認されたシフトダウン操作は、より大きな加速トルク得る目的でなされたシフトダウン操作であるので、トーイン角θを０°に設定し（Ｓ８０８）、Ｓ８０６へ移行し、設定されたトーイン角θ（トーイン角θ＝０°）が左右前輪２ＦＬ，２ＦＲに付与されるように、ＦＬアクチュエータ４ＦＬ及びＦＲアクチュエータ４ＦＲを制御する。
【０１７５】
また、Ｓ８０３の処理により確認した結果、シフトダウン操作がなければ（Ｓ８０３：Ｎｏ）、アクセルの入力があるかを確認する（Ｓ８０７）。Ｓ８０７の処理により確認した結果、アクセルの入力があれば（Ｓ８０７：Ｙｅｓ）、Ｓ８０８へ移行して、アクセルペダル５３の踏み込み量に応じた（アクセル開度に応じた）通常の走行を行うために、トーイン角θを０°に設定する。一方で、アクセルの入力がなければ（Ｓ８０７：Ｎｏ）、そのまま、このトー角制御処理５を終了する。
【０１７６】
従って、本実施形態の制御装置１０によれば、運転者によるギア（変速段）のシフトダウンが図られた状況において、そのシフトダウンの度合いが大きいほど、より大きなトーイン角θが左右前輪２ＦＬ，２ＦＲに付与され、その結果として、より大きな減速度で、車両１の対地速度の減速が図られることになる。
【０１７７】
運転者が制動力の付与を意図してシフトダウン操作を行う場合には、通常において、そのシフトダウンの度合いの大きさが、運転者によって所望される制動力の大きさに比例するので、本実施形態の制御装置１０によれば、ブレーキペダル５２の操作に連動して作動するフットブレーキ装置によって発生される制動力（フットブレーキ）と比較して微小な制動力を、運転者の意図を反映しつつ作用させることができる。よって、上述したように、状況に応じてトーイン角θが付与されることに伴って発生する制動力を、エンジンブレーキの代替として利用することができる。
【０１７８】
以上説明したように、本発明の制御装置１０（第１〜第５実施形態の制御装置１０）によれば、車両１の状況（例えば、降坂路の傾斜勾配や、カーブの曲率半径や、前方を走行する車両との相対的位置関係など）に応じたトーイン角θが左右前輪２ＥＬ，２ＦＲに付与され、該状況に応じた適切な制動力Ｆが付与される。
【０１７９】
よって、車両１が遭遇する多種多様な状況下においても、安全性が保たれると共に、必要以上の制動力が付与された結果として無駄な駆動力の付与が余儀なくされて燃費低下を招くなどの不都合を回避することができる。
【０１８０】
また、左右前輪２ＦＬ，２ＦＲへのトーイン角θの付与によって車両１に制動力を付与するので、減速の際における走行安定性の悪化を防止することができると共に、フットブレーキ装置により発生される制動力（フットブレーキ）に比べたら微小な制動力であるという点においてエンジンブレーキの代替としての利用が可能である。
【０１８１】
この場合、車両１を制動すべき状況であると判断されると、その状況に応じたトーイン角θが付与されて制動力Ｆが発生するので、エンジンブレーキとは異なり、制動力が発生するまでのタイムラグがなく、安定した制動を図ることができる。
【０１８２】
即ち、エンジンブレーキが作動するまでのタイムラグの期間においても、舵角付与によって発生する制動力が作用するので、結果として、エンジンブレーキ作動時に生じるショックが緩和され、快適な乗り心地を提供することができるのである。
【０１８３】
また、トーイン角θの付与によって発生する制動力は、エンジンの回転数とは無関係にリニアに作用すると共に、運転者がシフトダウン操作を行ってからエンジンブレーキが作動するまでの期間においても作用するので、エンジンブレーキの作動時に生じるシフトショックを緩和し、快適な乗り心地を提供することができる。
【０１８４】
特に、第１〜３実施形態の制御装置１０によれば、運転者の判断に依存することなく、車両１を制動すべき状況であるか否かの判断がなされるので、運転者に過度の負担を強いることなく、上記のような好適な制動制御が可能となる。
【０１８５】
なお、上記第１〜第５実施形態では、各車輪２（２ＦＬ〜２ＲＲ）は、ブレーキペダル５２の操作に連動して作動されるフットブレーキ装置（図示せず）により発生される制動される構成であったが、車輪駆動装置３が回生ブレーキとして作用する構成であっても、本発明の制御装置１０（第１〜第５実施形態の制御装置１０）が奏した効果と同様の効果を奏する。
【０１８６】
さらに、回生ブレーキを採用する車両の場合には、回生された電気エネルギーの充電先であるバッテリーの充電度が高い場合には、インバータに過負荷がかかりインバータが破損してしまうことがあったが、トーイン角θの付与によって発生する制動力を併用することによって、電気エネルギーの回生量を減少させることができるので、インバータへの負荷を軽減させ、インバータの破損を防止することができる。
【０１８７】
例えば、バッテリーの充電度が高い場合には、上記各実施形態において説明したような状況の発生時に、通常より大きなトーイン角θを車輪２（左右前輪２ＦＬ，３ＦＲ）に付与し、トーイン角θの付与によって発生する制動量を増やすようにすればよい。
【０１８８】
また、エンジンを動力源とし、エンジンブレーキが作動する構成を有する車両であっても、本発明の制御装置１０（第１〜第５実施形態の制御装置１０）が奏した効果と同様の効果を奏する。
【０１８９】
さらに、トーイン角θの付与によって発生する制動力とエンジンブレーキとを併用することによって、両方の制動力により確実な制動を図ることができる上に、エンジンブレーキの作動による走行安定性の悪化を防止することができる。
【０１９０】
なお、請求項１記載の制動状況判断手段は、トー角制御処理１におけるＳ３０３の処理、トー角制御処理２におけるＳ４０３の処理、トー角制御処理３におけるＳ５０２の処理、トー角制御処理４におけるＳ７０３の処理、トー角制御処理５におけるＳ８０３の処理が該当する。
【０１９１】
また、請求項１記載の制御トー角取得手段としては、トー角制御処理１におけるＳ３０８の処理、トー角制御処理２におけるＳ４１７の処理、トー角制御処理３におけるＳ５０７の処理、トー角制御処理４におけるＳ７０４の処理、トー角制御処理５におけるＳ８８０５の処理が該当する。
【０１９２】
また、請求項１記載のアクチュエータ作動手段としては、トー角制御処理１におけるＳ３０９の処理、トー角制御処理２におけるＳ４０８の処理、トー角制御処理３におけるＳ５０８の処理、トー角制御処理４におけるＳ７０５の処理、トー角制御処理５におけるＳ８０６の処理が該当する。
【０１９３】
また、請求項２記載の現在位置検出手段としては、トー角制御処理１におけるＳ３０１の処理が該当し、請求項２記載の道路形状把握手段としては、トー角制御処理１におけるＳ３０３において、「地図ＤＢ７４ａに記憶されている地図データを参照し、制御対象となるカーブ」を把握することが該当する。また、請求項２記載の速度取得手段としては、トー角制御処理１におけるＳ３０４の処理が該当し、請求項２記載の車両速度検出手段としては、トー角制御処理１におけるＳ３０２の処理が該当する。
【０１９４】
また、請求項３記載の傾斜状況検出手段としては、トー角制御処理２におけるＳ４０１の処理が該当する。また、請求項４記載の相対関係検出手段としては、トー角制御処理３におけるＳ５０１，Ｓ５０３の処理が該当する。
【０１９５】
また、請求項５記載のアクセル開度検出手段としては、トー角制御処理４におけるＳ７０１の処理が該当する。また、請求項６記載のシフト位置検出手段としては、トー角制御処理５におけるＳ８０１の処理が該当する。
【０１９６】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。
【０１９７】
例えば、上記各実施形態で挙げた数値は一例であり、他の数値を採用することは当然可能である。
【０１９８】
また、上記各実施形態では、車両１は４輪の車輪２（２ＦＬ〜２ＲＲ）を有するものとして構成したが、車両における車輪の総数は４輪に限定されるものではなく、２輪以上（偶数又は奇数）の車輪を有する車両であればよい。
【０１９９】
また、上記各実施形態では、左右前輪２ＦＬ，２ＦＲにトーイン角θを付与することによって制動力Ｆを得るように構成したが、左右前輪に限定されず、少なくとも１輪の車輪にトーイン角θを付与して制動力Ｆを得るような構成であってもよい。例えば、前輪と左右後輪との３輪から構成される車両において、前輪のみにトー角（トーイン又はトーアウト）を付与して制動を図るような構成であってもよい。当然、上記実施形態のように、車両１が有する全ての車輪２（２ＦＬ〜２ＲＲ）に対してトーイン角θを付与して制動力Ｆを得るような構成であってもよい。
【０２００】
また、複数の車輪にトーイン角θを付与する場合には、上記各実施形態では左右前輪２ＦＬ，２ＦＲのように、対称的な関係にある左右の車輪であることに限定されない。ただし、対称的な関係にある一対の車輪にトー角（トーイン角θ又はトーアウト角）を付与することが、制動時の安定性の点において好ましい。
【０２０１】
また、上記各実施形態では、トーイン方向のトー角（トーイン角）を車輪に付与することによって制動力を得る構成としたが、トーアウト方向のトー角を付与して制動を図る構成であってもよい。
【０２０２】
また、上記各実施形態では、車両１が直進する際のトー角を０°としたが、車両１が直進する際のトー角が０°以外の初期値に初期設定されている場合には、状況に応じたトー角制御を終了してトー角を元に戻す場合（例えば、第１実施形態のトー角制御処理１（図３参照）におけるＳ３１０の処理）において、トーイン角θを０°に設定したが、この値を初期値に戻すような構成にすればよい。
【０２０３】
また、上記各実施形態によって説明したトー角制御による制動は、ハンドル５１の操作に応じた舵角には依存しない。即ち、車両１が直進する場合であっても、カーブ（旋回）する場合であっても適用可能である。例えば、カーブの走行中には、（ハンドル５１の操作に応じた舵角が付与されている状態）において、車輪２の見かけ上の舵角（舵角センサ３１によって検出される舵角）は、ハンドル５１の操作に応じた舵角と、状況に応じて得られたトーイン角θとの合算値となる。
【０２０４】
また、上記各実施形態において説明したトー角制御処理１〜５のいくつかを組み合わせた制御を行ってもよい。この場合、例えば、複数の「車両を制御すべき状況」に対して得られる値（例えば、降坂路の傾斜勾配や、カーブの曲率半径や、前方を走行する車両との相対速度など）を考慮したトー角制御マップを設けておき、実際に得られた値から、トー角制御マップに基づいて、車輪２に付与すべきトー角（トーイン角θ又はトーアウト角）を得るように構成することができる。あるいは、各状況毎に、状況に応じたトー角（トーイン角θ又はトーアウト角）を取得し、その中で最も大きいトー角を選択するような構成としてもよい。
【０２０５】
また、上記第２実施形態では、傾斜角センサ４６を用いて降坂路の下降傾斜の大きさを判断するように構成したが、地図ＤＢ７４ａの地図データを用いて降坂路の下降傾斜を判断するように構成してもよい。あるいは、付近を走行する車両や周囲の状況などを車載カメラ４４による撮像画像や、ミリ波レーダ装置４３などのセンサ装置による検出結果などを利用することによって、降坂路の下降傾斜の大きさを判断するような構成であってもよい。
【０２０６】
また、上記各実施形態では、制御装置１０を搭載する車両１をＡＴ車としたが、ＭＴ車に搭載することも当然可能であり、制御装置１０をＭＴ車に搭載した場合であっても同様の効果を得ることができる。
【図面の簡単な説明】
【０２０７】
【図１】本発明の第１実施形態における制御装置が搭載される車両を模式的に示した模式図である。
【図２】制御装置の電気的構成を示したブロック図である。
【図３】第１実施形態の制御装置で実行されるトー角制御処理１を示すフローチャートである。
【図４】第２実施形態の制御装置で実行されるトー角制御処理２を示すフローチャートである。
【図５】第３実施形態の制御装置で実行されるトー角制御処理３を示すフローチャートである。
【図６】トー角制御マップを示す模式図である。
【図７】第４実施形態の制御装置で実行されるトー角制御処理４を示すフローチャートである。
【図８】第５実施形態の制御装置で実行されるトー角制御処理５を示すフローチャートである。
【符号の説明】
【０２０８】
１０                  制御装置
１                    車両
２                    車輪
２ＦＬ                前輪（車輪）
２ＦＲ                前輪（車輪）
２ＲＬ                後輪（車輪）
２ＲＲ                後輪（車輪）
４                    アクチュエータ装置（アクチュエータ）
４ＦＬ〜４ＲＲ        ＦＬ〜ＲＲアクチュエータ（アクチュエータ）
７４ａ                地図ＤＢ（地図データ記憶手段）
【図１】
2007145253.tif 000003
【図２】
2007145253.tif 000004
【図３】
2007145253.tif 000005
【図４】
2007145253.tif 000006
【図５】
2007145253.tif 000007
【図６】
2007145253.tif 000008
【図７】
2007145253.tif 000009
【図８】
2007145253.tif 000010